(57)【要約】【課題】  カラー画像の読取のときは低解像度であり、白黒画像の読取のときは高解像度である画像形成装置、画像形成方法、プログラム及び記録媒体を提供する。【解決手段】  カラー画像を読み取った際に、カラー画像の場合の解像度と白黒画像の場合の解像度とを別々に指定することが可能となり、カラー画像はファイルサイズを小さくして低解像度にしたり、白黒画像は画質を落としたくないので高解像度のままとする、等のユーザの要求を、カラー、白黒混在原稿の束に対してきめ細かく、かつ作業効率を落とすことなく対応することが可能となる。【選択図】  図２
2006352751.tif 000002
【特許請求の範囲】
【請求項１】
画像読取手段と、
該画像読取手段の読み取り開始時に白黒画像もしくはカラー画像に解像度の指定を行う解像度指定手段と、
いずれかの画像を検出すると、その画像のファイルを指定された解像度に変換する解像度変換手段とを備えたことを特徴とする画像形成装置。
【請求項２】
前記指定された解像度のうち、いずれか高い方の解像度に合わせて読み取り動作を実施することで、その後の解像度変換処理の回数を減少させる高解像度読取優先手段を備えたことを特徴とする請求項１に記載の画像形成装置。
【請求項３】
画像を読み取り、
前記画像の読み取り開始時に白黒画像もしくはカラー画像に解像度の指定を行い、
いずれかの画像を検出すると、その画像のファイルを指定された解像度に変換することを特徴とする画像形成方法。
【請求項４】
前記指定された解像度のうち、いずれか高い方の解像度に合わせて読み取り動作を実施することで、その後の解像度変換処理の回数を減少させることを特徴とする請求項３に記載の画像形成方法。
【請求項５】
画像形成装置の実質的なコンピュータに、
画像読取手段が画像を読み取る処理、
解像度指定手段が前記画像の読み取り開始時に白黒画像もしくはカラー画像に解像度の指定を行う処理、
解像度変換手段がいずれかの画像を検出すると、その画像のファイルを指定された解像度に変換する処理、
を実行させることを特徴とするプログラム。
【請求項６】
前記コンピュータに、
高解像度読取優先手段が前記指定された解像度のうち、いずれか高い方の解像度に合わせて読み取り動作を実施することで、その後の解像度変換処理の回数を減少させる処理を実行させることを特徴とする請求項５に記載のプログラム。
【請求項７】
画像形成装置の実質的なコンピュータに、
画像読取手段が画像を読み取る処理、
解像度指定手段が前記画像の読み取り開始時に白黒画像もしくはカラー画像に解像度の指定を行う処理、
解像度変換手段がいずれかの画像を検出すると、その画像のファイルを指定された解像度に変換する処理、
を実行させるプログラムを記録したことを特徴とする記録媒体。
【請求項８】
前記コンピュータに、
高解像度読取優先手段が前記指定された解像度のうち、いずれか高い方の解像度に合わせて読み取り動作を実施することで、その後の解像度変換処理の回数を減少させる処理を実行させるプログラムを記録したことを特徴とする請求項７に記載の記録媒体。
【発明の詳細な説明】
【技術分野】
【０００１】
本発明は、画像形成装置、画像形成方法、プログラム及び記録媒体に関する。
【背景技術】
【０００２】
画像形成装置にはスキャナー、複写機、ファクシミリ装置、スキャナプリンタ等があり、白黒画像を読み取って用紙に白黒画像を印刷するものやカラー画像を読み取って用紙にカラー画像を形成するものが開発されている。
このうちカラー画像を読み取る装置、例えばカラースキャナにはＡＣＳ（Automatic Color Selection）機能を有するものがある。このＡＣＳ機能は、読み取った画像が白黒かカラーかを自動判別するものである（例えば、特許文献１、２参照）。
【特許文献１】特開２００４−７２１６６号公報
【特許文献２】特開２００４−１３５２１７号公報
【発明の開示】
【発明が解決しようとする課題】
【０００３】
ところで、上述した従来の技術では、読み取った画像が白黒画像かカラー画像かの判別結果によって、画像の解像度を指定することはできなかった。
一般にカラー画像を読み取る場合には分解用フィルタによりＲ（赤）、Ｇ（緑）、Ｂ（青）の三色に分解して二値化処理等を施すのに対し、白黒画像を読み取る場合には分解用フィルタを用いずそのまま二値化処理等を施せばよいので、カラー画像のデータは白黒画像のデータの３倍となる。
【０００４】
このため、白黒画像のデータを格納できるファイルサイズの画像メモリにカラー画像のデータを格納しようとする場合、そのままではデータを格納しきれないのでファイルサイズを下げること、すなわち解像度を下げるか、あるいは大容量の画像メモリを用いなければならない。
【０００５】
すなわち、読み取った画像がカラー画像であると判別した場合にはファイルサイズを小さくするため、低解像度に変換し、読み取った画像が白黒画像であると判別した場合にはファイルサイズを気にする必要がないので高解像度にしたいというような要求を満たすことはできなかった。
【０００６】
そこで、本発明の目的は、カラー画像の読取のときは低解像度であり、白黒画像の読取のときは高解像度である画像形成装置、画像形成方法、プログラム及び記録媒体を提供することにある。
【課題を解決するための手段】
【０００７】
上記課題を解決するため、請求項１記載の発明は、画像読取手段と、該画像読取手段の読み取り開始時に白黒画像もしくはカラー画像に解像度の指定を行う解像度指定手段と、いずれかの画像を検出すると、その画像のファイルを指定された解像度に変換する解像度変換手段とを備えたことを特徴とする。
【０００８】
請求項１記載の発明によれば、カラー画像を読み取った際に、カラー画像の場合の解像度と白黒画像の場合の解像度とを別々に指定することが可能となり、カラー画像はファイルサイズを小さくして低解像度にしたり、白黒画像は画質を落としたくないので高解像度のままとする、等のユーザの要求を、カラー、白黒混在原稿の束に対してきめ細かく、かつ作業効率を落とすことなく対応することが可能となる。
【０００９】
請求項２記載の発明は、請求項１記載の発明において、前記指定された解像度のうち、いずれか高い方の解像度に合わせて読み取り動作を実施することで、その後の解像度変換処理の回数を減少させる高解像度読取優先手段を備えたことを特徴とする。
【００１０】
請求項２記載の発明によれば、設定された解像度のうち、高解像度の方に合わせて読取動作を実施することで、その後の解像度変換処理の回数を減少させることが可能となる。
【００１１】
請求項３記載の発明は、画像を読み取り、前記画像の読み取り開始時に白黒画像もしくはカラー画像に解像度の指定を行い、いずれかの画像を検出すると、その画像のファイルを指定された解像度に変換することを特徴とする。
【００１２】
請求項３記載の発明によれば、カラー画像を読み取った際に、カラー画像の場合の解像度と白黒画像の場合の解像度とを別々に指定することが可能となり、カラー画像はファイルサイズを小さくして低解像度にしたり、白黒画像は画質を落としたくないので高解像度のままとする、等のユーザの要求を、カラー、白黒混在原稿の束に対してきめ細かく、かつ作業効率を落とすことなく対応することが可能となる。
【００１３】
請求項４記載の発明は、請求項３記載の発明において、前記指定された解像度のうち、いずれか高い方の解像度に合わせて読み取り動作を実施することで、その後の解像度変換処理の回数を減少させることを特徴とする。
【００１４】
請求項４記載の発明によれば、設定された解像度のうち、高解像度の方に合わせて読取動作を実施することで、その後の解像度変換処理の回数を減少させることが可能となる。
【００１５】
請求項５記載の発明は、画像形成装置の実質的なコンピュータに、画像読取手段が画像を読み取る処理、解像度指定手段が前記画像の読み取り開始時に白黒画像もしくはカラー画像に解像度の指定を行う処理、解像度変換手段がいずれかの画像を検出すると、その画像のファイルを指定された解像度に変換する処理、を実行させることを特徴とする。
【００１６】
請求項５記載の発明によれば、カラー画像を読み取った際に、カラー画像の場合の解像度と白黒画像の場合の解像度とを別々に指定することが可能となり、カラー画像はファイルサイズを小さくして低解像度にしたり、白黒画像は画質を落としたくないので高解像度のままとする、等のユーザの要求を、カラー、白黒混在原稿の束に対してきめ細かく、かつ作業効率を落とすことなく対応することが可能となる。
【００１７】
請求項６記載の発明は、請求項５記載の発明において、前記コンピュータに、高解像度読取優先手段が前記指定された解像度のうち、いずれか高い方の解像度に合わせて読み取り動作を実施することで、その後の解像度変換処理の回数を減少させる処理を実行させることを特徴とする。
【００１８】
請求項６記載の発明によれば、設定された解像度のうち、高解像度の方に合わせて読取動作を実施することで、その後の解像度変換処理の回数を減少させることが可能となる。
【００１９】
請求項７記載の発明は、画像形成装置の実質的なコンピュータに、画像読取手段が画像を読み取る処理、解像度指定手段が前記画像の読み取り開始時に白黒画像もしくはカラー画像に解像度の指定を行う処理、解像度変換手段がいずれかの画像を検出すると、その画像のファイルを指定された解像度に変換する処理、を実行させるプログラムを記録したことを特徴とする。
【００２０】
請求項７記載の発明によれば、カラー画像を読み取った際に、カラー画像の場合の解像度と白黒画像の場合の解像度とを別々に指定することが可能となり、カラー画像はファイルサイズを小さくして低解像度にしたり、白黒画像は画質を落としたくないので高解像度のままとする、等のユーザの要求を、カラー、白黒混在原稿の束に対してきめ細かく、かつ作業効率を落とすことなく対応することが可能となる。
【００２１】
請求項８記載の発明は、請求項７記載の発明において、前記コンピュータに、高解像度読取優先手段が前記指定された解像度のうち、いずれか高い方の解像度に合わせて読み取り動作を実施することで、その後の解像度変換処理の回数を減少させる処理を実行させるプログラムを記録したことを特徴とする。
【００２２】
請求項８記載の発明によれば、設定された解像度のうち、高解像度の方に合わせて読取動作を実施することで、その後の解像度変換処理の回数を減少させることが可能となる。
【発明の効果】
【００２３】
本発明によれば、カラー画像の読取のときは低解像度であり、白黒画像の読取のときは高解像度である画像形成装置、画像形成方法、プログラム及び記録媒体の提供を実現することができる。
【発明を実施するための最良の形態】
【００２４】
本発明に係る画像形成装置の実施形態は、画像読取手段と、画像読取手段の読み取り開始時に白黒画像もしくはカラー画像に解像度の指定を行う解像度指定手段と、いずれかの画像を検出すると、その画像のファイルを指定された解像度に変換する解像度変換手段とを備えたことを特徴とする。
【００２５】
画像読取手段としては、例えば、スキャナが挙げられる。スキャナにはラインセンサもしくはエリアセンサが用いられる。
解像度指定手段、解像度変換手段としては、ＣＰＵ、メモリ、ＲＯＭ、ＲＡＭ、及び操作部で構成される。
解像度指定手段は、操作部（ＬＣＤと操作ボタン）から、操作画面上で、白黒画像の場合の解像度とカラー画像の場合の解像度とを指定して、その内容を記憶するものである。
解像度変換手段は、高解像度で読み取った画像を、主走査方向及び副走査方向に間引くことで、解像度を変換するものである。例えば、副走査方向において４００ｄｐｉ→２００ｄｐｉは２本のデータのうち１本を間引くことを意味する。主走査方向も同様である。
【００２６】
本発明に係る画像形成装置の実施形態は、上記構成に加え、指定された解像度のうち、いずれか高い方の解像度に合わせて読み取り動作を実施することで、その後の解像度変換処理の回数を減少させる高解像度読取優先手段を備えたことを特徴とする。
【００２７】
高解像度読取優先手段としては、ＣＰＵ、メモリ、ＲＯＭ、ＲＡＭ、及び操作部で構成される。高解像度読取優先手段は、操作部で設定された解像度のうち、解像度の高い方で実際の読み取り動作を実施する。
【００２８】
本発明に係る画像形成方法の実施形態は、画像を読み取り、画像の読み取り開始時に白黒画像もしくはカラー画像に解像度の指定を行い、いずれかの画像を検出すると、その画像のファイルを指定された解像度に変換することを特徴とする。
【００２９】
本発明に係る画像形成方法の実施形態は、上記構成に加え、指定された解像度のうち、いずれか高い方の解像度に合わせて読み取り動作を実施することで、その後の解像度変換処理の回数を減少させることを特徴とする。
例えば、カラー解像度を２００ｄｐｉと設定し、白黒解像度を４００ｄｐｉと設定した場合、最初に４００ｄｐｉ（設定された解像度のうち高解像度の方）で読み取れば、白黒カラー判定が白黒となった場合、解像度変換の必要はない。これに対してカラーと判定されたときは４００ｄｐｉ→２００ｄｐｉの変換が必要になるが、常に装置の最高解像度で読み取るようにすると、装置の最高解像度が６００ｄｐｉである場合、カラー解像度が２００ｄｐｉで白黒解像度が４００ｄｐｉと設定された場合、いずれに判定されたとしても解像度変換が必要となる。このため、解像度変換処理の回数を減少させるのである。
【００３０】
本発明に係るプログラムの実施形態は、画像形成装置の実質的なコンピュータに、画像読取手段が画像を読み取る処理、解像度指定手段が前記画像の読み取り開始時に白黒画像もしくはカラー画像に解像度の指定を行う処理、解像度変換手段がいずれかの画像を検出すると、その画像のファイルを指定された解像度に変換する処理、を実行させることを特徴とする。
【００３１】
本発明に係るプログラムの実施形態は、上記構成に加え、コンピュータに、高解像度読取優先手段が指定された解像度のうち、いずれか高い方の解像度に合わせて読み取り動作を実施することで、その後の解像度変換処理の回数を減少させる処理を実行させることを特徴とする。
【００３２】
本発明に係る記録媒体の実施形態は、画像形成装置の実質的なコンピュータに、画像読取手段が画像を読み取る処理、解像度指定手段が前記画像の読み取り開始時に白黒画像もしくはカラー画像に解像度の指定を行う処理、解像度変換手段がいずれかの画像を検出すると、その画像のファイルを指定された解像度に変換する処理、を実行させるプログラムを記録したことを特徴とする。
【００３３】
本発明に係る記録媒体の実施形態は、上記構成に加え、コンピュータに、高解像度読取優先手段が指定された解像度のうち、いずれか高い方の解像度に合わせて読み取り動作を実施することで、その後の解像度変換処理の回数を減少させる処理を実行させるプログラムを記録したことを特徴とする。
【実施例】
【００３４】
図１は本発明に係る画像形成方法を適用した画像形成装置の一実施例を示す全体図である。
回転可能に支持されて図１の矢印ａ〜ｄ方向に回転する感光体１−１〜１−４の外周部には、除電装置Ｌ１〜Ｌ４と、クリーニング装置２−１〜２−４と、帯電装置３−１〜３−４と、現像装置５−１〜５−４とが配設されている。感光体１−１〜１−４の外周部における帯電装置３−１〜３−４と現像装置５−１〜５−４との間には、露光装置４−１〜４−４から発せられる光情報を入射させるスペースが確保されている。
図１に示す構成では感光体１−１〜１−４が４個示されているが、現像装置５−１〜５−４が扱う色材（トナー）の色が異なるのみであり、それぞれの外周部に設けられる画像形成用の上述した部品構成は同じである。
【００３５】
感光体１−１〜１−４は、直径が３０ｍｍから１００ｍｍ程度のアルミニウム円筒表面に、光導電性物質である有機半導体の層を設けて構成され、その一部が中間転写ベルト１０に接している。
【００３６】
中間転写ベルト１０は、回転するローラ１１、１２、１３により支持され、図１の矢印Ａ方向に移動可能に張架されている。この中間転写ベルト１０の裏側（ループの内側）には、第１の転写手段２０が感光体１−１〜１−４の近傍に配備され、感光体１−１〜１−４上の顕像を中間転写ベルト１０に転写させる。
中間転写ベルト１０のベルトループの外側における、中間転写ベルト１０から顕像を記録媒体または裏面用中間転写ベルト１００に転写する位置の下流に、中間転写ベルト用クリーニング装置２５が配設されている。このクリーニング装置２５は、中間転写ベルト１０から顕像が他に転写された後でベルト表面に残留する不要のトナーを拭い去る。
【００３７】
露光装置４は公知のレーザ方式によるもので、フルカラー画像形成に対応した光情報を、一様に帯電された感光体１−１〜１−４表面に潜像として照射する。この露光装置４としては、ＬＥＤアレイと結像手段とから成る露光装置を用いてもよい。
【００３８】
このように、上述した感光体１と、クリーニング装置２と、帯電装置３と、露光装置４と、現像装置５と、除電装置Ｌと、第１の転写手段２０とが、中間転写ベルト１０に転写する顕像（トナーによる像）を生成する作像手段Ｇとして機能する。
【００３９】
中間転写ベルト１０は、基体の厚みが５０μｍ〜６００μｍの樹脂フィルムあるいはゴムを基体にしたベルトであり、感光体１−１〜１−４からトナーを転写可能とする抵抗値を備える。
この中間転写ベルト１０に対して図１の右方には、ベルト状の裏面用中間転写ベルト１００が配設されている。この裏面用中間転写ベルト１００は、回転ローラ１１１、１１２、１１３により支持され、図１の矢印Ｂ方向に移動可能に張架されており、裏側（ループの内側）には、第２の転写手段１２０が配設されている。裏面用中間転写ベルト１００によるベルトループの外側に、この裏面用中間転写ベルト用クリーニング装置２５０、チャージャＣＨ、などが配設されている。
クリーニング装置２５０は、用紙にトナーを転写した後、裏面用中間転写ベルト１００上に残留する不要のトナーを拭い去る。
【００４０】
上述した第２の転写手段１２０と、ローラ１１３と、中間転写ベルト１０を支持するローラ１１とにより、中間転写ベルト１０と裏面用中間転写ベルト１００とは接触し、あらかじめ定められた転写ニップを形成する。
【００４１】
裏面用中間転写ベルト１００は、基体の厚みが５０μｍ〜６００μｍの樹脂フィルムあるいはゴムを基体にしたベルトで、中間転写ベルト１０からトナーを転写可能とする抵抗値を備えるベルトである。
【００４２】
記録媒体（用紙）Ｐは図の下方の給紙装置（給紙カセット）２６−１、２６−２に収納されており、最上にある用紙が給紙ローラ２７−１、２７−２で１枚づつ、複数のガイド２９−１〜２９−５を経てレジストローラ対２８−１、２８−２に搬送される。
記録媒体Ｐが搬送されるさらに下流（図では上側）には、定着用加熱手段３０、排紙ガイド対３１、排紙ローラ対３２−１、３２−２、排紙スタック部４０が配設され、転写後の記録媒体Ｐが矢印Ｃ方向に排出されるようになっている。
【００４３】
図１における中間転写ベルト１０の上方で排紙スタック部４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００４４】
こうした装置本体の一部であるフレーム５０は、開閉支軸５０Ａを中心として、回動・開放が可能な構造にされている。このため、ユーザはこのフレーム５０を開いた状態とすることにより記録媒体の搬送路を大きく開くことができ、ジャムが発生した場合の記録媒体（用紙）の処理を容易にしている。
【００４５】
また、上述した記録媒体Ｐへの画像形成を行う装置本体の上部に画像読み取り手段６０が支持部６６を介して連設され、この画像読み取り手段６０により読み取られた画像データを上述した装置本体が記録媒体Ｐに印刷することで、コピー動作を可能にするよう構成されている。
【００４６】
この画像読み取り手段６０は、自動原稿送り装置（ＡＤＦ）６１と、コンタクトガラス６２と、露光ランプ６３と、露光ランプ６３による原稿画像からの反射光を反射させて所定の光路に導く複数の反射ミラー６４−１、６４−２と、導かれた反射光を受光するイメージセンサアレイ６５とを備え、原稿画像の片面または両面を自動原稿送り装置６１により自動的にコンタクトガラス６２上に読み取り可能にセットして読み取ることができるように構成されている。
【００４７】
画像読み取り手段６０の外周部には、操作・表示部（表示手段、かつ入力手段）が設けられている。この操作・表示部は、ユーザに各種の操作情報を表示により通知すると共に操作入力を受けるタッチパネルや、テンキーなど各種のボタンを備える。
ユーザは、この操作・入力部により、コピーの片面／両面切り替え、コピー動作の開始、コピー枚数の設定、コピー機能とプリンタ機能との切り替えなどの各種操作を行う。
【００４８】
図２は図１に示した画像形成装置のブロック図である。
図２において、１２１は原稿を所定の速度で搬送しながら、所定の解像度で画データを読みとるスキャナ部である。
１２２は、読み取った画像や、受信した画像を指定された用紙に所定の解像度で、印刷するための画像処理部である。
１２３は本装置全体を制御するＣＰＵ（中央演算処理装置）である。
１２４は本装置を動作させるためのプログラムを記憶しているＲＯＭ（Ｒｅａｄ  Ｏｎｌｙ  Ｍｅｍｏｒｙ：読み出し専用メモリ）である。
１２５は本装置の管理を行うためのデータを一時的に記憶しておくためのＲＡＭ（Ｒａｎｄａｍ  Ａｃｃｅｓｓ  Ｍｅｍｏｒｙ：書き換え可能なメモリ）である。
１２６は本装置を操作するための各種キーが設けられている操作部である。
１２７はＬＡＮ（Ｌｏｃａｌ  Ａｒｅａ  Ｎｅｔｗｏｒｋ）や公衆回線などのネットワークへの接続を行うＩ／Ｆ制御部である。
１２８は記録紙を所定の速度で搬送しながら、画データを記録紙に印字するためのプロッタ部である。
１２９は、読み取り画像の解像度をカラーの場合、白黒の場合でそれぞれ個々に設定可能な解像度指定手段である。
１３０は、所定の解像度で読み取った画像を別の解像度に任意に変換する解像度変換手段である。
１３１は、カラー、白黒でそれぞれ指定された解像度のうち、高解像度の方を優先してその解像度で、実際の読み取り動作を開始する、高解像度読取優先手段である。
１３２は、本装置の内部バスである。
１３３は、メモリである。
【００４９】
次に本実施例の動作について説明する。
図３は図１に示した画像形成装置のフローチャートである。
ＡＣＳ時の白黒判定時、カラー判定時の解像度を設定する。但し、ＡＣＳ判定前に、白黒なら××ｐｄｉと設定しておき、カラーなら○○ｐｄｉと設定しておく（白黒用の解像度設定画面とカラー用の解像度設定画面とが操作・表示部７０に表示されるようになっている）。その後ＣＰＵ１２３（図２参照）がＡＣＳ動作を実行する。白黒、カラーそれぞれ設定どおりの解像度にして出力する（ステップＳ１）。
スキャナ部１２１（図２参照）が読み取りを開始する（ステップＳ２）。
設定された解像度のうち高解像度の方で、フルカラー読み取りを実施する（ステップＳ３）。
ＡＣＳの結果、ＣＰＵ１２３は白黒かカラーかを判別し（ステップＳ４）、カラーであると判別すると（ステップＳ４／カラー）、読み取り結果の解像度がカラー設定の解像度に等しいか否かを判別し（ステップＳ５）、等しいと判別すると（ステップＳ５／Ｙｅｓ）、読み取った結果をそのまま読み取り画像として使用する（解像度変換しない：ステップＳ６）。
ステップＳ４でＡＣＳの結果、白黒であると判別した場合（ステップＳ４／白黒）、読み取り結果の解像度が白黒設定解像度に等しいか否か（カラーと白黒の設定解像度が同じか否か）を判別し（ステップＳ８）、等しいと判別すると（ステップＳ８／Ｙｅｓ）、読み取った結果をそのまま読み取り画像として使用する。すなわち、解像度変換は行わず、カラー＝白黒画像変換のみ実施する（ステップＳ９）。
ステップＳ８で等しくないと判別した場合（ステップＳ８／Ｎｏ）、読み取った画像を設定された解像度に解像度変換実施する。すなわち、カラー＝白黒画像変換も実施する（ステップＳ１０）。
ステップＳ５で等しくないと判別した場合（ステップＳ５／Ｎｏ）、読み取った画像を設定された解像度に解像度変換実施する（ステップＳ７）。
【００５０】
すなわち、スキャナ読み取りを開始する前に、読み取りモードとして、ＡＣＳを設定する。
続いて、白黒画像と判定されたときの解像度を解像度指定手段で指定する。たとえば操作部で４００ｄｐｉ指定などが挙げられる。
次に、カラー画像と判定されたときの解像度を指定する。たとえば、６００ｄｐｉなどが挙げられる。上記のように、設定した場合、ＡＣＳモードで画像を読み取り、その読み取った画像がカラーと判定されると６００ｄｐｉの画像としてファイルを作成する。
白黒と判定されると４００ｄｐｉのファイルを作成する。
また、読み取りを実施する際は、高解像度読み取り優先手段によって、６００ｄｐｉカラーで実際の読み取りを実施する。その後その画像が白黒と判定された場合は、６００ｄｐｉカラーの画像をベースに、解像度変換手段によって、４００ｄｐｉの画像を作成する。
上記のような、動作をすることで、白黒・カラー混在の原稿束を自動的に、白黒、カラー、のそれぞれ異なる解像度の画像として、読み取ることができる。
【００５１】
以上において、本実施例によれば、カラー画像を読み取った際に、カラー画像の場合の解像度と白黒画像の場合の解像度とを別々に指定することが可能となり、カラー画像はファイルサイズを小さくして低解像度にしたり、白黒画像は画質を落としたくないので高解像度のままとする、等のユーザの要求を、カラー、白黒混在原稿の束に対してきめ細かく、かつ作業効率を落とすことなく対応することが可能となる。
【００５２】
尚、上述した実施例は、本発明の好適な実施例であり、本発明の趣旨を逸脱しない範囲内において、種々変形することが可能である。
【００５３】
また、上述した実施例としての装置を実現するための処理手順を有するプログラムやプログラムを記録媒体に記録することにより、本発明の実施例による各機能を、その記録媒体から供給されるプログラムによって、装置を構成するコンピュータのＣＰＵに処理を行わせて実現させることが可能である。
この場合、上記の記録媒体により、プログラムを含む情報群を装置に供給される場合でも本発明は適用されるものである。
【００５４】
すなわち、記録媒体から読み出されたプログラムコード自体が本発明の新規な機能を実現することになり、そのプログラムコードを記憶した記録媒体及びその記録媒体から読み出された信号は本発明を構成することになる。
この記録媒体としては、例えば、フレキシブルディスク、ハードディスク、光ディスク、光磁気ディスク、フラッシュメモリ、ＣＤ−ＲＯＭ、ＣＤ−Ｒ、磁気テープ、不揮発性メモリカード、ＲＯＭ、ＥＥＰＲＯＭ等を用いてよい。
本発明に係るプログラムによれば、当該プログラムによって制御される画像形成方法に係る実施例としての各機能を実現させることができる。
【産業上の利用可能性】
【００５５】
本発明は、スキャナ、複写機、ファクシミリ装置、スキャナプリンタ等の画像形成装置に利用可能である。
【図面の簡単な説明】
【００５６】
【図１】本発明に係る画像形成方法を適用した画像形成装置の一実施例を示す全体図である。
【図２】図１に示した画像形成装置のブロック図である。
【図３】図１に示した画像形成装置のフローチャートである。
【符号の説明】
【００５７】
１２１    スキャナ部
１２２    画像処理部
１２３    中央演算処理装置
１２４    ＲＯＭ
１２５    ＲＡＭ
１２６    操作部
１２７    Ｉ／Ｆ制御部
１２８    プロッタ部
１２９    解像度指定手段
１３０    解像度変換手段
１３１    高解像度読取優先手段
１３２    内部バス
【図１】
2006352751.tif 000003
【図２】
2006352751.tif 000004
【図３】
2006352751.tif 000005